(57)【要約】【課題】いつでも、アプリケーションに関連付けられた映像を再生しながらそのアプリケーションを実行させることのできる放送受信端末を得る。【解決手段】番組情報蓄積手段１０５は、アプリケーション情報の要求があった場合は、該当するシーンを含む映像を蓄積する。アプリケーション取得手段１０６は、シーンに関連付けられているアプリケーションを取得する。映像再生手段１１１で蓄積した映像を再生すると共に、アプリケーション実行手段１１０は、取得したアプリケーションを実行する。【選択図】図２
2010118736.tif 000002
【特許請求の範囲】
【請求項１】
番組放送映像を常に一定時間分録画しておくと共に、前記番組放送映像における任意のシーンに対応してアプリケーション情報の要求があった場合は、当該シーンを含む前記一定時間分の映像を蓄積しておく映像蓄積手段と、
前記蓄積された映像を再生する映像再生手段と、
前記シーンに関連付けられたアプリケーションを取得するアプリケーション取得手段と、
前記アプリケーション取得手段が取得したアプリケーションを、前記アプリケーションが関連付けられたシーンの映像中の位置を示すシーン情報と共に蓄積するアプリケーション蓄積手段と、
前記アプリケーションを実行するためのアプリケーション実行手段と、
前記アプリケーション蓄積手段から前記アプリケーション及びシーン情報を読み出し、当該読み出したアプリケーションを実行するよう前記アプリケーション実行手段に要求すると共に、前記シーン情報を参照して該当するシーンの映像再生を前記映像再生手段に要求するアプリケーション表示制御手段を備えることを特徴とする放送受信端末。
【請求項２】
ユーザの好み情報をアプリケーション取得手段に登録する好み情報管理手段と、受信した番組放送映像の番組情報を蓄積する番組情報蓄積手段とを備え、
前記アプリケーション取得手段は、前記好み情報と、ユーザが視聴中の番組に対応する前記番組情報とを比較し、前記好み情報に定められた条件に前記番組情報が一致する場合に該当するシーンに関連付けられたアプリケーションを取得することを特徴とする請求項１記載の放送受信端末。
【請求項３】
複数のシーンに対応して、アプリケーション情報の要求があった場合、アプリケーション表示制御手段は、前記複数シーンの映像再生及びアプリケーション実行を映像再生手段及びアプリケーション実行手段に対して要求する際、前記複数シーン間を任意に移動可能なよう制御することを特徴とする請求項１または請求項２記載の放送受信端末。
【発明の詳細な説明】
【技術分野】
【０００１】
この発明は、ＴＶ放送を受信すると共にインターネット等のネットワークを介してコンテンツを表示する放送受信端末に関するものである。
【背景技術】
【０００２】
従来、ＴＶ放送番組を視聴するユーザに対して、視聴者に負担をかけることなく、インターネットより提供される広告などの映像コンテンツを閲覧可能なインターネットＤＴＶ（デジタルテレビ）システムがあった（例えば、特許文献１参照）。このようなインターネットＤＴＶシステムは、視聴者端末が、放送番組中に重畳されたＵＲＬ（Ｕｎｉｆｏｒｍ  Ｒｅｓｏｕｒｃｅ  Ｌｏｃａｔｏｒ）を用いて、コンテンツプロバイダへ映像コンテンツを要求し、取得した映像コンテンツを放送波から受信した映像と合成して視聴者に提供する。
【０００３】
【特許文献１】特開２００２−１９９３７５号公報
【発明の開示】
【発明が解決しようとする課題】
【０００４】
上記従来のインターネットＤＴＶシステムによれば、ユーザによるリモコン操作によって、放送番組中に重畳されたＵＲＬを参照し、映像コンテンツの取得が要求される。このため、リアルタイムの放送番組をユーザが視聴している際、その放送番組に関連付けられた映像コンテンツの視聴が可能となる。
しかしながら、従来のインターネットＤＴＶシステムでは、ユーザがインターネットから興味ある映像コンテンツを要求した放送番組内での放送時刻などの情報はＤＴＶ内部に記憶されない。このため、自らが気に入ったインターネットからの取得映像コンテンツが存在した場合でも、毎回リモコン操作によりその映像コンテンツをコンテンツプロバイダへ要求しなくてはならない等、操作性が悪いという問題があった。
【０００５】
この発明は上記のような課題を解決するためになされたもので、いつでも、アプリケーションに関連付けられた映像を再生しながらそのアプリケーションを実行させることのできる放送受信端末を得ることを目的とする。
【課題を解決するための手段】
【０００６】
この発明に係る放送受信端末は、番組放送映像を常に一定時間分録画しておくと共に、番組放送映像における任意のシーンに対応してアプリケーション情報の要求があった場合は、そのシーンを含む一定時間分の映像を蓄積しておく映像蓄積手段と、蓄積された映像を再生する映像再生手段と、シーンに関連付けられたアプリケーションを取得するアプリケーション取得手段と、アプリケーション取得手段が取得したアプリケーションを、アプリケーションが関連付けられたシーンの映像中の位置を示すシーン情報と共に蓄積するアプリケーション蓄積手段と、アプリケーションを実行するためのアプリケーション実行手段と、アプリケーション蓄積手段からアプリケーション及びシーン情報を読み出し、読み出したアプリケーションを実行するようアプリケーション実行手段に要求すると共に、シーン情報を参照して該当するシーンの映像再生を映像再生手段に要求するアプケーション表示制御手段を備えたものである。
【発明の効果】
【０００７】
この発明の放送受信端末は、アプリケーション情報の要求があった場合は、該当するシーンを含む映像を蓄積すると共に、シーンに関連付けられているアプリケーションを取得して、蓄積した映像を再生すると共に取得したアプリケーションを実行するようにしたので、いつでも、アプリケーションに関連付けられた映像を再生しながらそのアプリケーションを実行させることができる。
【発明を実施するための最良の形態】
【０００８】
実施の形態１．
図１は、この発明の実施の形態１による放送受信端末を含む放送受信システムの構成図である。
図示のように、放送受信端末１００とアプリケーション情報管理サーバ２００はネットワーク３００を介して接続されている。放送受信端末１００は、ＴＶ放送を受信すると共に、ネットワーク３００を介してアプリケーション情報管理サーバ２００にアクセスする機能を有する端末である。アプリケーション情報管理サーバ２００は、種々のアプリケーションを蓄積するサーバであり、放送受信端末１００からのアプリケーション情報取得要求に応じてアプリケーション情報を提供する。ネットワーク３００は、例えばインターネットといった双方向通信が可能なネットワークである。
【０００９】
図２は、放送受信端末１００の構成図である。
図２に示す放送受信端末１００は、入力手段１０１、端末制御手段１０２、放送受信手段１０３、映像蓄積手段１０４、番組情報蓄積手段１０５、アプリケーション取得手段１０６、通信手段１０７、アプリケーション蓄積手段１０８、アプリケーション表示制御手段１０９、アプリケーション実行手段１１０、映像再生手段１１１、表示手段１１２を備えている。
【００１０】
入力手段１０１は、ユーザからのリモコン入力などを受け付け、この入力信号を端末制御手段１０２へ送出する手段である。端末制御手段１０２は、放送受信端末１００全体の情報を管理し、入力手段１０１からの入力と端末状態に応じて適切に各手段に対して制御指示を行う制御手段である。放送受信手段１０３は、デジタル放送などの放送波を受信すると共に、端末制御手段１０２からの選局要求を受け付け、受信放送映像や番組に関連付けられた番組情報を分離する手段である。映像蓄積手段１０４は、放送受信手段１０３が分離・取得した、ユーザが視聴中の番組映像を常に一定時間分上書きしながら蓄積し、端末制御手段１０２から指示があった場合には後から映像再生手段１１１にて再生可能なよう映像を保存する機能を有する手段である。番組情報蓄積手段１０５は、放送受信手段１０３が分離した番組情報を蓄積する手段である。アプリケーション取得手段１０６は、アプリケーション情報を通信手段１０７を通じてアプリケーション情報管理サーバ２００へ要求する手段である。通信手段１０７は、放送受信端末１００がネットワーク３００上のサーバ機器と通信を行うための手段である。アプリケーション蓄積手段１０８は、アプリケーション取得手段１０６が取得したアプリケーション情報を、ユーザがアプリケーション情報を要求した時刻と共に管理・蓄積する手段である。アプリケーション表示制御手段１０９は、アプリケーション蓄積手段１０８から取得したアプリケーション情報に基づき、アプリケーション実行手段１１０及び映像再生手段１１１を制御する手段である。アプリケーション実行手段１１０は、アプリケーションを読み出し実行する手段である。映像再生手段１１１は、映像蓄積手段１０４に保存された映像を読み出し再生する手段である。表示手段１１２は、放送受信手段１０３から取得する受信放送映像、映像再生手段１１１から取得する再生映像、及びアプリケーション実行手段１１０において実行されるアプリケーションのユーザインタフェースを表示する手段である。
【００１１】
次に、実施の形態１の放送受信端末１００の動作について説明する。
図３および図４は、放送受信端末１００の動作シーケンスの説明図である。
先ず、放送受信端末１００において、放送受信手段１０３は、受信した放送波から分離した映像ストリームを映像蓄積手段１０４へ受け渡し、映像蓄積手段１０４は受け取ったストリームを常に一定時間分上書きしながら蓄積しているものとする。即ち、ユーザが視聴中のチャンネルで放送される番組映像は常に一定時間分映像蓄積手段１０４へ蓄積されている状態である。
ユーザは、表示手段１１２を通じて表示された番組映像に興味を持った際、入力手段１０１を通じて表示中の番組映像に関連付けられたアプリケーション情報を要求する（ステップＳＴ３００）。ここでアプリケーション情報とは、表示手段１１２に表示可能なユーザインタフェースを備えた任意のアプリケーションの事を意味する。
【００１２】
尚、ここで、ユーザがステップＳＴ３００においてアプリケーション表示要求を行う前に、予めアプリケーションが関連付けられているシーンや、そのシーンに関連付けられているアプリケーションの概要情報などを通信手段１０７あるいは、放送波から取得しておき、ユーザに表示手段１１２を通じて、「このシーンでは○○のアプリケーションを利用可能です」などと提示するようにしておいても良い。
【００１３】
端末制御手段１０２は、映像蓄積手段１０４が蓄積中の映像に対する上書き録画を停止し、後から再生可能なように上書き保存を行う領域とは別の蓄積領域に映像を保存するよう映像蓄積手段１０４に対して要求する（ステップＳＴ３０１）。映像保存要求を受信した映像蓄積手段１０４は、映像の上書き録画を停止し、後から再生可能なよう映像を保存する。ここで、映像蓄積手段１０４は管理情報として、図５に示すような保存映像管理テーブル５００を内部に保持しており、新たに保存を要求された映像の情報を追加する。図５の保存映像管理テーブル５００において、保存映像ＩＤ５０１は保存を行う映像を識別するための識別子、録画開始時刻５０２は、保存するための映像の録画を開始した時点を示す時刻情報、録画停止時刻５０３は録画が停止された時点を示す時刻情報である。尚、録画停止時刻５０３は、映像蓄積手段１０４が映像保存要求を受け付けた後、ユーザが視聴中のチャンネルを変更するか、あるいは一定時間後に映像蓄積手段１０４が自動的に映像の録画を停止した際に入力される情報である。映像蓄積手段１０４は、蓄積した映像を識別するための識別子として保存映像ＩＤ５０１を発行し、端末制御手段１０２へ映像保存成功通知を応答する（ステップＳＴ３０２）。
【００１４】
映像蓄積手段１０４より映像保存成功通知を受信した端末制御手段１０２は、自らが管理するユーザが視聴中のチャンネル番号、現在時刻及び映像蓄積手段１０４から取得した保存映像ＩＤと共に、アプリケーション取得手段１０６に対してアプリケーション取得要求を送信する（ステップＳＴ３０３）。これにより、アプリケーション取得手段１０６は、端末制御手段１０２から受信したアプリケーション取得要求に基づき、番組情報蓄積手段１０５に対して番組情報を要求する（ステップＳＴ３０４）。このとき、番組情報蓄積手段１０５に対して送信する番組情報要求には、チャンネル番号及び現在時刻が含まれる。
【００１５】
番組情報蓄積手段１０５は、放送受信手段１０３から抽出した番組情報を図６に示すような形で蓄積している。図６において、番組情報管理テーブル６００は、番組ＩＤ６０１、チャンネル番号６０２、番組名６０３、放送開始時刻６０４、放送終了時刻６０５の情報を有するテーブルである。番組情報要求を受信した番組情報蓄積手段１０５は、チャンネル番号及び現在時刻を検索キーとして番組情報管理テーブル６００の中から、該当する番組を検索する。図６の例において、例えばチャンネル番号が１００、現在時刻が“２００８／７／２９  １１：４５：００”だった場合には、番組ＩＤ６０１が“Ｂ０００２”、番組名６０３が“音楽ステーション”の番組情報にヒットし、これらの情報がアプリケーション取得手段１０６へ応答される（ステップＳＴ３０５）。
【００１６】
番組情報を取得したアプリケーション取得手段１０６は、通信手段１０７を通じてアプリケーション情報管理サーバ２００に対して、指定する放送番組の映像シーン付近に関連付けられたアプリケーション情報の取得を要求する（ステップＳＴ３０６、ステップＳＴ３０７）。この時、アプリケーション情報管理サーバ２００に対して送信するアプリケーション情報取得要求に含まれる情報の一例を図７に示す。図７に示すように、アプリケーション情報取得要求７００には、番組ＩＤ７０１、チャンネル番号７０２、番組名７０３、アプリケーション要求時刻７０４を含んでいる。尚、アプリケーション要求時刻７０４は、アプリケーション情報を要求する映像シーンを指定するための時刻である。
【００１７】
アプリケーション情報管理サーバ２００は受信したアプリケーション情報取得要求７００に対して、自らが管理するアプリケーション情報データベース（図示せず）を検索し、要求された映像シーン近辺に関連付けられたアプリケーション情報を放送受信端末１００に対して応答する（ステップＳＴ３０８）。受信されたアプリケーション情報は、通信手段１０７を通じて要求を送信したアプリケーション取得手段１０６へ送信される（ステップＳＴ３０９）。ここで、アプリケーション情報管理サーバ２００から取得するアプリケーション情報の一例を図８に示す。図８に示すように、アプリケーション情報８００は、アプリケーションを識別するためのアプリケーションＩＤ８０１、アプリケーションが関連付けられる番組の識別子である番組ＩＤ８０２、アプリケーション名８０３、アプリケーション本体（バイナリデータ）８０４、アプリケーションが番組ＩＤで識別される番組中において番組映像に関連付けられる時間の開始時刻８０５、アプリケーションが番組ＩＤで識別される番組中において番組映像に関連付けられる時間の終了時刻８０６の情報を含んでいる。尚、アプリケーション情報管理サーバ２００には、アプリケーション要求時刻７０４において要求した時刻の前後の時間帯に関連付けられた複数のアプリケーション情報を応答してもらう事を期待している。
【００１８】
アプリケーション取得手段１０６は、取得したアプリケーション情報８００、及びステップＳＴ３０３で端末制御手段１０２から通知された保存映像ＩＤと共にアプリケーション蓄積手段１０８へアプリケーション情報の蓄積を要求する（ステップＳＴ３１０）。アプリケーション情報蓄積要求を受信したアプリケーション蓄積手段１０８は、自らが内部に保持するファイルシステム上にアプリケーション本体８０４を保存し、一例として図９に示すようなアプリケーション情報管理テーブル９００に、取得したアプリケーション情報に関わる情報を追加する。図９において、アプリケーション情報管理テーブル９００には、アプリケーション情報８００から取得したアプリケーションＩＤ９０１、アプリケーション情報８００から取得した番組ＩＤ９０２、端末制御手段１０２を経由して映像蓄積手段１０４から取得した保存映像ＩＤ９０３、アプリケーション情報８００から取得したアプリケーション本体を自らが管理するファイルシステム上に保存した際に割り当てられるアプリケーション保存ファイルパス９０４、ユーザがアプリケーションを要求した時刻を示すアプリケーション要求時刻９０５、アプリケーション情報８００から取得したアプリケーション関連開始時刻９０６を含んでいる。ここでアプリケーション情報８００にはユーザが取得を要求していない映像シーンに関連付けられるアプリケーションの情報も含まれる場合があるため、その場合にはアプリケーション要求時刻９０５は「要求なし」という値が与えられる。
【００１９】
アプリケーション蓄積手段１０８は、アプリケーション情報管理テーブル９００に取得したアプリケーション情報８００に関わる情報の追加に成功したら、アプリケーション情報蓄積成功通知をアプリケーション取得手段１０６に伝える（ステップＳＴ３１１）。またアプリケーション取得手段１０６は、ステップＳＴ３０６で送信したアプリケーション要求時刻７０４と共にアプリケーション情報取得に関わる動作全体が完了したことを端末制御手段１０２へ通知する（ステップＳＴ３１２）。この時、端末制御手段１０２は例えば図１０に示すように、ユーザが受信放送を視聴中に、ユーザに対して新たにアプリケーション情報を取得した事を通知しても良い。図１０に示す受信放送映像画面１０００は、放送受信手段１０３を経由して表示手段１１２に表示された画面であり、画面中に表示されるアプリケーション取得ユーザ通知１００１は、端末制御手段１０２からの要求により表示手段１１２で表示されるユーザへのメッセージである。
【００２０】
端末制御手段１０２は、アプリケーション情報８００を取得した後、任意のタイミングでユーザから入力手段１０１を経由して、アプリケーション情報表示要求を受け付ける（ステップＳＴ３１３）。要求を受けた端末制御手段１０２は、ステップＳＴ３１２において取得したアプリケーション要求時刻７０４のうち、最も現在時刻に近いものを参照して、その時刻情報と共にアプリケーション情報表示要求をアプリケーション表示制御手段１０９へ送信する（ステップＳＴ３１４）。
【００２１】
要求を受け取ったアプリケーション表示制御手段１０９は、アプリケーション情報表示要求に含まれるアプリケーション要求時刻７０４をキーとして、アプリケーション蓄積手段１０８に対して、対応するアプリケーション要求時刻９０５を持つアプリケーション情報の読み出しを要求する（ステップＳＴ３１５）。アプリケーション蓄積手段１０８は、受け取ったアプリケーション要求時刻７０４とアプリケーション情報管理テーブル９００中に保持される各アプリケーション情報のアプリケーション要求時刻９０５とを比較し、対応するアプリケーション情報をアプリケーション表示制御手段１０９へ応答する（ステップＳＴ３１６）。
【００２２】
アプリケーション情報を取得したアプリケーション表示制御手段１０９は、アプリケーション実行手段１１０に対して、アプリケーション保存ファイルパス９０４を指定して、アプリケーションの起動を要求する（ステップＳＴ３１７）。アプリケーション実行手段１１０は、受け取ったアプリケーション保存ファイルパス９０４を参照して、アプリケーション本体を読み出し、アプリケーションを起動する。アプリケーションの起動が完了し、アプリケーションのユーザインタフェースが表示可能な状態になったら、表示手段１１２に対してアプリケーションの表示要求を行う（ステップＳＴ３１８）。
【００２３】
表示手段１１２は、アプリケーション表示要求に従い、アプリケーションの表示を行う。表示手段１１２は、アプリケーションの表示が成功したら、アプリケーション表示成功通知をアプリケーション実行手段１１０に通知する（ステップＳＴ３１９）。アプリケーション実行手段１１０は、アプリケーションが起動、表示された事を確認し、アプリケーション起動成功通知をアプリケーション表示制御手段１０９へ通知する（ステップＳＴ３２０）。
【００２４】
アプリケーション起動成功通知を受けたアプリケーション表示制御手段１０９は、アプリケーションと関連付けられた映像の再生を行う。アプリケーション表示制御手段１０９は、保存映像ＩＤ９０３によって特定される映像蓄積手段１０４に保存された映像を、ユーザがアプリケーション情報を要求した時刻であるアプリケーション要求時刻９０５から再生するよう映像再生手段１１１に対して要求する（ステップＳＴ３２１）。
【００２５】
映像再生手段１１１は、保存映像ＩＤ９０３とアプリケーション要求時刻９０５を指定して、映像情報の取得を映像蓄積手段１０４へ要求する（ステップＳＴ３２２）。映像蓄積手段１０４は、自らが管理する保存映像管理テーブル５００を参照して、要求された保存映像ＩＤ９０３を保存映像ＩＤ５０１と比較し、保存映像を特定する。更に特定した映像の中から、アプリケーション要求時刻９０５を指定して、その時刻に対応する映像データを取得して、映像再生手段１１１へ送信する（ステップＳＴ３２３）。
【００２６】
映像再生手段１１１は、その内部において、ＭＰＥＧ（Ｍｏｖｉｎｇ  Ｐｉｃｔｕｒｅ  Ｅｘｐｅｒｔｓ  Ｇｒｏｕｐ）−２方式などにより符号化されている映像データを復号し、復号した映像データを表示手段１１２に表示するよう要求する（ステップＳＴ３２４）。表示手段１１２は、映像データの表示に成功したら映像表示成功通知を映像再生手段１１１へ通知する（ステップＳＴ３２５）。
【００２７】
映像再生手段１１１は映像の再生を確認し、映像再生開始通知をアプリケーション表示制御手段１０９へ通知する（ステップＳＴ３２６）。アプリケーション表示制御手段１０９は、アプリケーション及びアプリケーションに関連付けられた保存映像の双方が正常に表示されたことを確認し、アプリケーション情報表示成功通知を端末制御手段１０２へ通知する（ステップＳＴ３２７）。
【００２８】
ここで、図１１によって表示手段１１２に表示されるアプリケーション及び保存映像の表示の一例について説明する。
図１１は放送されている音楽番組を視聴中にユーザがアプリケーション情報を要求した場合を示している。図１１に示すアプリケーション情報画面１１００は、表示手段１１２に表示される画面であり、その画面中に、アプリケーションのユーザインタフェース１１０１が表示されている。また、このユーザインタフェース１１０１と共に、保存した放送番組の再生映像１１０２が表示されている。
図１１の例では、ユーザが再生映像１１０２に表示されている音楽番組を視聴中に、表示されている音楽アーティストに関連する情報を表示するアプリケーションのユーザインタフェース１１０１を操作し、再生映像１１０２において再生中の音楽コンテンツを通信手段１０７を通じて、オンライン購入することが可能である。
【００２９】
また、ユーザが複数回アプリケーション表示要求を行うと、アプリケーション蓄積手段１０８が管理するアプリケーション情報管理テーブル９００は、図１２に示す例のよう複数のアプリケーション要求時刻９０５が登録されることとなる。この例では、“２００８／７／２９  １１：３７：２３”及び“２００８／７／２９  １１：４８：１２”のように、２回、アプリケーション表示要求を行っているが、それぞれの要求に対して同一番組の異なるシーンに関連付けられた、アプリケーションＩＤ９０１がＡ０００５及びＡ０００７の異なる２つのアプリケーションを取得している。このとき、関連付けられている番組が音楽番組であったとすると、異なる２組の音楽アーティストに関連付けられた、異なるアプリケーションをそれぞれ表示することなどが考えられる。また、端末制御手段１０２と表示手段１１２が連携し、ＧＵＩ（Ｇｒａｐｈｉｃａｌ  Ｕｓｅｒ  Ｉｎｔｅｒｆａｃｅ）を構築することによって、例えばユーザがアプリケーション情報を要求した時刻に対応するアプリケーションＩＤ９０１がＡ０００５、及びＡ０００７のみに対応するアプリケーション及び関連する番組映像シーンを表示するようにしたり、あるいはＡ０００４〜Ａ０００７のアプリケーション全てについて順番にアプリケーションや番組映像シーンを表示したりするようにしても良い。
【００３０】
以上のように、実施の形態１では、放送受信端末１００が受信する放送のシーンに関連付けられたアプリケーションを端末内部に取得し、再生映像と共に表示するようにできるので、ユーザの好みの映像シーンに関連するアプリケーションを、再生映像を視聴しながらいつでも操作することができる。
また、本放送受信端末１００において実行されるアプリケーションは、インターネット上のサービスと連携することが可能であるので、ユーザは例えば音楽番組において自らの興味のある音楽アーティストの出演シーンでアプリケーションを取得するよう要求しておき、関連付けられたアプリケーションが出演音楽アーティストの音楽コンテンツの購入を目的としたものであった場合などに、再生映像を閲覧しながら後からじっくりと音楽コンテンツの購入を検討することができる。
【００３１】
以上のように、実施の形態１の放送受信端末によれば、番組放送映像を常に一定時間分録画しておくと共に、番組放送映像における任意のシーンに対応してアプリケーション情報の要求があった場合は、シーンを含む一定時間分の映像を蓄積しておく映像蓄積手段と、蓄積された映像を再生する映像再生手段と、シーンに関連付けられたアプリケーションを取得するアプリケーション取得手段と、アプリケーション取得手段が取得したアプリケーションを、アプリケーションが関連付けられたシーンの映像中の位置を示すシーン情報と共に蓄積するアプリケーション蓄積手段と、アプリケーションを実行するためのアプリケーション実行手段と、アプリケーション蓄積手段からアプリケーション及びシーン情報を読み出し、読み出したアプリケーションを実行するようアプリケーション実行手段に要求すると共に、シーン情報を参照して該当するシーンの映像再生を映像再生手段に要求するアプケーション表示制御手段を備えたので、いつでも、アプリケーションに関連付けられた映像を再生しながらそのアプリケーションを実行させることができる。
【００３２】
また、実施の形態１の放送受信端末によれば、複数のシーンに対応して、アプリケーション情報の要求があった場合、アプリケーション表示制御手段は、複数シーンの映像再生及びアプリケーション実行を映像再生手段及びアプリケーション実行手段に対して要求する際、複数シーン間を任意に移動可能なよう制御するので、複数のアプリケーションの実行や映像再生をユーザの指定に応じて自由に変更することができる。
【００３３】
実施の形態２．
実施の形態２は、ユーザの好み情報を登録し、この好み情報に基づいてアプリケーションを取得するようにしたものである。
図１３は、実施の形態２の放送受信端末１００ａを示す構成図である。
図中、好み情報管理手段１１３は、ユーザから入力される放送番組に関する好み情報を管理する手段であり、キーワード、チャンネル番号、時間帯などの情報を保持し、アプリケーション取得手段１０６ａに対してこれらの好み情報を登録する機能を有している。また、アプリケーション取得手段１０６ａは、好み情報管理手段１１３から好み情報、及び端末制御手段１０２からユーザが視聴中のチャンネル番号を常に取得し、番組情報蓄積手段１０５に蓄積される番組情報と比較しながら、条件が一致する場合には通信手段１０７を経由してアプリケーション情報をアプリケーション情報管理サーバ２００へ要求するよう構成されている。これ以外の放送受信端末１００ａの各構成については実施の形態１の放送受信端末１００と同様であるため、対応する部分に同一符号を付してその説明を省略する。また、放送受信端末１００ａとアプリケーション情報管理サーバ２００やネットワーク３００との関係については、図１と同様である。
【００３４】
以下、実施の形態２の放送受信端末の動作について説明する。
ユーザは、入力手段１０１を通じて、自らの興味がある番組に関するキーワードなどの情報を好み情報管理手段１１３が管理する図１４に示す好み情報管理テーブル１４００に登録する。図１４に示すように、好み情報管理テーブル１４００は、キーワード１４０１、チャンネル番号１４０２および時間帯１４０３の情報からなるテーブルである。
【００３５】
好み情報管理手段１１３は、アプリケーション取得手段１０６ａに対して好み情報管理テーブル１４００の情報を登録し、アプリケーション取得手段１０６ａは端末制御手段１０２からユーザが視聴中のチャンネル番号情報を常に取得し続けると共に、番組情報蓄積手段１０５から図６のような番組情報を定期的に取得・監視し、ユーザが視聴中の番組に関して好み情報管理テーブル１４００に登録される情報に一致するものがないかを探す。
【００３６】
一致するものがあった際には、アプリケーション取得手段１０６ａは端末制御手段１０２に対して、アプリケーション表示要求を行い、以降、実施の形態１におけるステップＳＴ３０１以降の動作を行う。この時、アプリケーション取得手段１０６ａは、アプリケーション情報を取得した際、図１５に示すようにいずれのキーワードに一致したかという情報と共に、アプリケーション情報を取得したことを受信放送映像を視聴中のユーザに通知するよう端末制御手段１０２に要求してもよい。図１５において、受信放送映像画面１５００は、放送受信手段１０３を経由して表示手段１１２に表示された画面であり、アプリケーション取得ユーザ通知１５０１は、端末制御手段１０２からの要求により表示手段１１２に表示されるユーザ宛のメッセージである。
【００３７】
以上のように、実施の形態２の放送受信端末によれば、ユーザの好み情報をアプリケーション取得手段に登録する好み情報管理手段と、受信した番組放送映像の番組情報を蓄積する番組情報蓄積手段とを備え、アプリケーション取得手段は、好み情報とその時点で視聴している番組と、番組情報とを比較し、条件が一致する場合に該当するシーンに関連付けられたアプリケーションを取得するようにしたので、ユーザが予め登録しておいた好み情報にマッチするアプリケーション情報が自動的に取得され、ユーザは自らアプリケーション情報を逐一要求しなくとも、好みのアプリケーションをそのアプリケーションに関連づけられた映像シーンと共に閲覧することができる。
【図面の簡単な説明】
【００３８】
【図１】この発明の実施の形態１による放送受信端末を含む放送受信システムの構成図である。
【図２】この発明の実施の形態１による放送受信端末の構成図である。
【図３】この発明の実施の形態１による放送受信端末の動作シーケンスの説明図（その１）である。
【図４】この発明の実施の形態１による放送受信端末の動作シーケンスの説明図（その２）である。
【図５】この発明の実施の形態１による放送受信端末の保存映像管理テーブルを示す説明図である。
【図６】この発明の実施の形態１による放送受信端末の番組情報管理テーブルを示す説明図である。
【図７】この発明の実施の形態１による放送受信端末のアプリケーション情報取得要求を示す説明図である。
【図８】この発明の実施の形態１による放送受信端末のアプリケーション情報を示す説明図である。
【図９】この発明の実施の形態１による放送受信端末のアプリケーション情報管理テーブルを示す説明図である。
【図１０】この発明の実施の形態１による放送受信端末の受信放送映像画面を示す説明図である。
【図１１】この発明の実施の形態１による放送受信端末のアプリケーションのインタフェースと保存映像が表示された画面の説明図である。
【図１２】この発明の実施の形態１による放送受信端末のユーザが複数回アプリケーション表示要求を行った場合のアプリケーション情報管理テーブルを示す説明図である。
【図１３】この発明の実施の形態２による放送受信端末の構成図である。
【図１４】この発明の実施の形態２による放送受信端末の好み情報管理テーブルを示す説明図である。
【図１５】この発明の実施の形態２による放送受信端末の受信放送映像画面を示す説明図である。
【符号の説明】
【００３９】
１００，１００ａ  放送受信端末、１０４  映像蓄積手段、１０５  番組情報蓄積手段、１０６，１０６ａ  アプリケーション取得手段、１０８  アプリケーション蓄積手段、１０９  アプリケーション表示制御手段、１１０  アプリケーション実行手段、１１１  映像再生手段、１１２  表示手段、１１３  好み情報管理手段、２００  アプリケーション情報管理サーバ、５００  保存映像管理テーブル、６００  番組情報管理テーブル、７００  アプリケーション情報取得要求、８００  アプリケーション情報、９００  アプリケーション情報管理テーブル、１０００，１５００  受信放送映像画面、１１００  アプリケーション情報画面、１４００  好み情報管理テーブル。
【図１】
2010118736.tif 000003
【図２】
2010118736.tif 000004
【図３】
2010118736.tif 000005
【図４】
2010118736.tif 000006
【図５】
2010118736.tif 000007
【図６】
2010118736.tif 000008
【図７】
2010118736.tif 000009
【図８】
2010118736.tif 000010
【図９】
2010118736.tif 000011
【図１０】
2010118736.tif 000012
【図１１】
2010118736.tif 000013
【図１２】
2010118736.tif 000014
【図１３】
2010118736.tif 000015
【図１４】
2010118736.tif 000016
【図１５】
2010118736.tif 000017